(57)【要約】【課題】必要としない着信履歴を残さないようにすることができ、また誤ってコールバックしても自己の電話番号を非通知設定にすることができる通信機を提供する。【解決手段】着信時に着信履歴記憶部１３に記憶した発信者電話番号が電話帳記憶部１４に記憶されているものでなければ、着信時から一定時間経過した時点で着信履歴記憶部１３から該発信者電話番号を消去し、またその発信者電話番号で着信時から一定時間以内に発信する場合には自己の電話番号を相手に通知しないように非通知設定にする。また、着信時から一定時間以内に着信履歴記憶部１３にのみ記憶されている発信者電話番号を電話帳に記録する操作が行われた場合には、その発信者電話番号を電話帳記憶部１４に記憶する。【選択図】      図１
2004159264.tif 000002
【特許請求の範囲】
【請求項１】
着信時に発信側から送られてきた発信者電話番号を記憶する着信履歴記憶手段と、複数の電話番号を記憶可能な電話帳記憶手段と、着信時から一定時間計測するタイマ手段と、前記発信者電話番号を前記電話帳記憶手段に記憶されている少なくとも１つの電話番号と比較し、同一のものがなければ、着信時から一定時間経過した時点で前記着信履歴記憶手段から前記発信者電話番号を消去する制御手段と、少なくとも前記着信履歴記憶手段及び前記電話帳記憶手段に記憶されている電話番号を表示するための表示手段と、を具備することを特徴とする通信機。
【請求項２】
前記制御手段は、着信時から一定時間以内に前記着信履歴記憶手段にのみ記憶されている前記発信者電話番号で発信する操作が行われた場合、自己の電話番号を相手に通知しないように非通知設定にすることを特徴とする請求項１記載の通信機。
【請求項３】
前記制御手段は、着信時から一定時間以内に前記着信履歴記憶手段にのみ記憶されている前記発信者電話番号を記録する操作が行われた場合には、前記発信者電話番号を前記電話帳記憶手段に記憶させることを特徴とする請求項１又は請求項２記載の通信機。
【請求項４】
着信時に発信側から送られてきた発信者電話番号を電話帳に記憶されている少なくとも１つの電話番号と比較し、前記発信者電話番号が前記電話帳に記憶されているものでなければ、着信時から一定時間経過した時点で前記発信者電話番号を消去し、また着信時から前記一定時間以内に前記電話帳に記憶されていない前記発信者電話番号を記録する操作が行われた場合には、前記発信者電話番号を前記電話帳に記憶させ、更に前記一定時間以内に前記電話帳に記憶されていない前記発信者電話番号で発信する操作が行われた場合には、自己の電話番号を通知しないように非通知設定にすることを特徴とする着信履歴表示方法。
【発明の詳細な説明】
【０００１】
【発明の属する技術分野】
本発明は、通信機及び着信履歴表示方法に関する。
【０００２】
【従来の技術】
従来、携帯電話機やＰＨＳ（Ｐｅｒｓｏｎａｌ  Ｈａｎｄｙ−Ｐｈｏｎｅ  Ｓｙｓｔｅｍ）等の通信機には、着信履歴を表示する機能を有するものがある（例えば、特許文献１参照）。
【０００３】
【特許文献１】
特許第３０９３７５３号公報
【０００４】
図４は、その種の通信機４０の構成を示すブロック図である。この図において、通信機４０は、アンテナ４１と、変調波信号の送受信を行う送受信部４２と、着信履歴を記憶する着信履歴記憶部４３と、電話番号を記憶する電話帳記憶部４４と、各種入力キーを有する操作部４５と、ＬＣＤ（Ｌｉｑｕｉｄ  Ｃｒｙｓｔａｌ  Ｄｉｓｐｌａｙ）等の表示器を有する表示部４６と、装置各部を制御する主制御部４７とを備えている。
【０００５】
主制御部４７は、相手が発信者番号（電話番号）を通知して発信してきた場合で、本装置のユーザがその電話に出られなかった場合に、着信日時と相手の電話番号（着信履歴）を着信履歴記憶部４３に記憶するとともに表示部４６に着信履歴を表示する。なお、伝言があった場合で、それを表示するための操作がユーザによって行われると、その伝言を表示部４６に表示する。
【０００６】
【発明が解決しようとする課題】
しかしながら、上述した従来の通信機４０においては、発信者の着信履歴が残るという機能を逆手にとって、悪意のある発信者が任意の電話番号の着信履歴を残すことで、その受信者にコールバック（かけなおし）を誘発させ、その受信者がコールバックしてきた場合には、案内テープを聞かせた後、有料番組等につないで高額な支払を請求してきたり、受信者が発信者番号通知の設定を行っていた場合には、受信者の電話番号が発信者に知られてしまうという問題があった。
【０００７】
本発明は、係る点に鑑みてなされたものであり、必要としない着信履歴を残さないようにすることができ、また誤ってコールバックしても自己の電話番号を非通知設定にすることができる通信機及び着信履歴表示方法を提供することを目的とする。
【０００８】
【課題を解決するための手段】
請求項１に係る発明の通信機は、着信時に発信側から送られてきた発信者電話番号を記憶する着信履歴記憶手段と、複数の電話番号を記憶可能な電話帳記憶手段と、着信時から一定時間計測するタイマ手段と、前記発信者電話番号を前記電話帳記憶手段に記憶されている少なくとも１つの電話番号と比較し、同一のものがなければ、着信時から一定時間経過した時点で前記着信履歴記憶手段から前記発信者電話番号を消去する制御手段と、少なくとも前記着信履歴記憶手段及び前記電話帳記憶手段に記憶されている電話番号を表示するための表示手段と、を具備することを特徴とする。
【０００９】
この構成によれば、着信時に取得した発信者電話番号が電話帳記憶手段に記憶されていないものであれば、着信時から一定時間経過後に消去するので、必要としない着信履歴を残さないようにすることができる。
【００１０】
請求項２に係る発明の通信機は、請求項１に係る発明の通信機において、前記制御手段は、着信時から一定時間以内に前記着信履歴記憶手段にのみ記憶されている前記発信者電話番号で発信する操作が行われた場合、自己の電話番号を相手に通知しないように非通知設定にすることを特徴とする。
【００１１】
この構成によれば、着信時から一定時間以内に着信履歴記憶手段にのみ記憶されている発信者電話番号で発信する場合、自己の電話番号を非通知設定にするので、誤ってコールバックしても自己の電話番号が相手に知られるのを防止することができる。
【００１２】
請求項３に係る発明の通信機は、請求項１又は請求項２に係る発明の通信機において、前記制御手段は、着信時から一定時間以内に前記着信履歴記憶手段にのみ記憶されている前記発信者電話番号を記録する操作が行われた場合には、前記発信者電話番号を前記電話帳記憶手段に記憶させることを特徴とする。
【００１３】
この構成によれば、着信時から一定時間以内に着信履歴記憶手段にのみ記憶されている発信者電話番号を電話帳記憶手段に記憶させることができるので、悪意のない発信者の電話番号を見逃してしまうのを防止することができる。
【００１４】
請求項４に係る発明の着信履歴表示方法は、着信時に発信側から送られてきた発信者電話番号を電話帳に記憶されている少なくとも１つの電話番号と比較し、前記発信者電話番号が前記電話帳に記憶されているものでなければ、着信時から一定時間経過した時点で前記発信者電話番号を消去し、また着信時から前記一定時間以内に前記電話帳に記憶されていない前記発信者電話番号を記録する操作が行われた場合には、前記発信者電話番号を前記電話帳に記憶させ、更に前記一定時間以内に前記電話帳に記憶されていない前記発信者電話番号で発信する操作が行われた場合には、自己の電話番号を通知しないように非通知設定にすることを特徴とする。
【００１５】
この方法によれば、着信時に取得した発信者電話番号が電話帳に記憶されていないものであれば、着信時から一定時間経過後に消去するので、必要としない着信履歴を残さないようにすることができる。また、着信時から一定時間以内に電話帳に記憶されていない発信者電話番号を電話帳に記憶させることができるので、悪意のない発信者の電話番号を見逃してしまうのを防止することができる。また、着信時から一定時間以内に電話帳に記憶されていない発信者電話番号で発信する場合、自己の電話番号を非通知設定にするので、誤ってコールバックしても自己の電話番号が相手に知られるのを防止することができる。
【００１６】
【発明の実施の形態】
以下、本発明の実施の形態について、図面を用いて詳細に説明する。
【００１７】
図１は、本発明の実施の形態に係る通信機の構成を示すブロック図である。この図において、本実施の形態に係る通信機１０は、携帯電話機やＰＨＳ（Ｐｅｒｓｏｎａｌ  Ｈａｎｄｙ−Ｐｈｏｎｅ  Ｓｙｓｔｅｍ）等の無線通信機であり、アンテナ１１と、変調波信号の送受信を行う送受信部１２と、着信履歴を記憶する着信履歴記憶部１３と、電話番号を記憶する電話帳記憶部１４と、各種入力キーを有する操作部１５と、ＬＣＤ（Ｌｉｑｕｉｄ  Ｃｒｙｓｔａｌ  Ｄｉｓｐｌａｙ）等の表示器を有する表示部１６と、着信時から一定時間を計測するタイマ１８とデータを一時保存するメモリ１９を有するタイマ制御部１７と、装置各部を制御する主制御部２０と備えている。
【００１８】
図２は、タイマ制御部１７に設けられたメモリ１９のメモリマップを示す図である。メモリ領域Ａには着信履歴記憶部１３に記憶された最新の電話番号データが書き込まれる。メモリ領域Ｂには電話帳記憶部１４に記憶された電話番号データが書き込まれる。
【００１９】
主制御部２０は、相手が発信者番号（電話番号）を通知して発信してきた場合、着信日時と相手の電話番号（着信履歴）を着信履歴記憶部１３に記憶するとともに表示部１６に着信履歴を表示する。また、着信があった旨をタイマ制御部１７に通知する。
【００２０】
また、主制御部２０は、着信時から一定時間以内に、着信記録された電話番号を電話帳記憶部１４に記憶する操作が行われた場合、着信履歴記憶部１３に記憶されている電話番号データを読み出して電話帳記憶部１４に書き込む。このとき、着信履歴記憶部１３から読み出した電話番号データを表示部１６に表示してユーザの確認をとる。そして、ユーザの確認が得られると、当該データを電話帳記憶部１４に書き込む。
【００２１】
タイマ制御部１７は、主制御部２０より着信があった旨の通知を受けると、タイマ１８をスタートさせる。そして、着信履歴記憶部１３に記憶された電話番号（即ち、今着信があった電話番号）を読み出してメモリ１９のメモリ領域Ａに保存する。次に、電話帳記憶部１４に記憶してある電話番号データの全て、あるいは先にメモリ１９のメモリ領域Ａに保存した電話番号データと関連する電話番号データ（例えば、市外局番や０９０で始まる番号）の全てを読み出して、メモリ１９のメモリ領域Ｂに保存する。
【００２２】
そして、メモリ領域Ａに保存した電話番号データをメモリ領域Ｂに保存した１つ以上の電話番号データと比較し、メモリ領域Ｂに同一の電話番号データがなければ、着信時から一定時間経過した時点でその電話番号データに対応する着信履歴記憶部１３に記憶された電話番号データを消去する。その後、メモリ１９のメモリ領域Ａ及びＢに保存した電話番号データも全て消去する。
【００２３】
また、タイマ制御部１７は、着信時から一定時間以内に、着信履歴記憶部１３には記憶されているが電話帳記憶部１４には記憶されていない電話番号で発信しようとすると（例えば、コールバックしようとすると）、自己の電話番号を相手に通知しないように非通知設定にする。
【００２４】
このように、本実施の形態に係る通信機１０によれば、着信時に着信履歴記憶部１３に記憶した発信者電話番号が電話帳記憶部１４に記憶されているものでなければ、着信時から一定時間経過した時点で着信履歴記憶部１３から該発信者電話番号を消去し、またその発信者電話番号で着信時から一定時間以内に発信する場合には自己の電話番号を相手に通知しないように非通知設定にするので、必要としない着信履歴を残さないようにすることができると共に、誤ってコールバックしても自己の電話番号が相手に知られるのを防止することができる。
【００２５】
また、着信時から一定時間以内に着信履歴記憶部１３にのみ記憶されている発信者電話番号を電話帳に記録する操作が行われた場合には、その発信者電話番号を電話帳記憶部１４に記憶するので、悪意のない発信者の電話番号を見逃してしまうのを防止することができる。
【００２６】
なお、上述した実施の形態は、携帯電話機やＰＨＳ等の無線通信機であったが、固定電話機等の有線通信機であっても良い。すなわち、無線有線を問わず電話が可能なものであればどのようなものであっても良い。因みに、図３に示す通信機３０は、実施の形態に係る通信機１０のアンテナ１１をモジュラーケーブル３１に置き換えたものである。当然ながらこの通信機３０においても、電話帳記憶部１４に記憶されていない電話番号は着信時から一定時間経過した時点で消去され、また当該時間以内にコールバックした場合には自己の電話番号を相手に通知しないように非通知設定となる。
【００２７】
【発明の効果】
本発明の通信機によれば、着信時に取得した発信者電話番号が電話帳記憶手段に記憶されていないものであれば、着信時から一定時間経過後に消去するので、必要としない着信履歴を残さないようにすることができる。
【００２８】
また、本発明の着信履歴表示方法によれば、着信時に取得した発信者電話番号が電話帳に記憶されていないものであれば、着信時から一定時間経過後に消去するので、必要としない着信履歴を残さないようにすることができる。また、着信時から一定時間以内に電話帳に記憶されていない発信者電話番号を電話帳に記憶させることができるので、悪意のない発信者の電話番号を見逃してしまうのを防止することができる。また、着信時から一定時間以内に電話帳に記憶されていない発信者電話番号で発信する場合、自己の電話番号を非通知設定にするので、誤ってコールバックしても自己の電話番号が相手に知られるのを防止することができる。
【図面の簡単な説明】
【図１】本発明の実施の形態に係る通信機の構成を示すブロック図である。
【図２】本発明の実施の形態に係る通信機におけるタイマ制御部に設けられたメモリのメモリマップを示す図である。
【図３】本発明の実施の形態に係る通信機の応用例を示すブロック図である。
【図４】従来の通信機の構成を示すブロック図である。
【符号の説明】
１０、３０  通信機
１１  アンテナ
１２  送受信部
１３  着信履歴記憶部
１４  電話帳記憶部
１５  操作部
１６  表示部
１７  タイマ制御部
１８  タイマ
１９  メモリ
２０  主制御部
３１  モジュラーケーブル
【図１】
2004159264.tif 000003
【図２】
2004159264.tif 000004
【図３】
2004159264.tif 000005
【図４】
2004159264.tif 000006